(57)【要約】      （修正有）【課題】寄棟分岐屋根の断熱性を確保すると共に通気性を向上させる。【解決手段】野地面材２と断熱主板３Ａとの間に、断熱連結板３Ｂの厚み分の通気路４が形成された屋根パネル１を使用し、屋根パネル１を垂木６上に被着し、軒先において屋根パネル１の通気路４の軒先端を外気に直接開放し、隅部にあっては、対向する一対の屋根パネル１を隅木７Ｄを介して対向させ、断熱主板３Ａ上面を隅木７Ｄの天面と一致せしめて隅木７Ｄによって断熱材３の通気路４が閉塞されないようにして一対の屋根パネル１，１間に隅通気路を設け、隅通気路に通気路４の隅側端を開放しておき、隅部に換気部材１６を被着し、隅通気路を、換気部材１６を介して外気に開放して円滑な換気を確保した寄棟分岐屋根の通気構造を提供する。【選択図】図９
2009161960.tif 000002
【特許請求の範囲】
【請求項１】
主屋根部の所定部位から分岐屋根部を分岐させてなる寄棟分岐屋根において、
プラスチック発泡体からなる断熱主板の複数枚を垂木巾を介して配置し、該断熱主板の上側からプラスチック発泡体からなる細長の断熱連結板を貼着し、該断熱連結板で複数枚の該断熱主板を相互に連結することにより、該断熱主板の相互の連結部分に垂木嵌合溝を設けた断熱材を用い、
上記断熱材の複数枚を野地面材の下面に上記断熱連結板を介して接合することにより、該野地面材と上記断熱主板との間において、該断熱連結板相互の間に該断熱連結板の厚み分の通気路が形成された屋根パネルを使用し、
上記屋根パネルは、屋根骨格の垂木上に被着し、該垂木を該屋根パネルの上記断熱材の垂木嵌合溝に嵌合し、また主屋根部および分岐屋根部の軒先にあっては、上記屋根パネルの通気路の軒先端を外気に直接開放しておくものとして、
上記主屋根部および上記分岐屋根部の棟部にあっては、対向する一対の屋根パネルを棟木の上方で互いに突き合わせることにより、一対の屋根パネル間に棟通気路を設けて、該棟通気路に該屋根パネルの通気路の棟側端を開放しておき、
上記主屋根部および上記分岐屋根部の隅部にあっては、対向する一対の屋根パネルを隅木を介して対向させ、上記断熱材の断熱主板上面を隅木の天面と一致せしめて隅木によって該断熱材の通気路が閉塞されないようにすることで、一対の屋根パネル間に隅通気路を設けて、該隅通気路に該屋根パネルの通気路の隅側端を開放しておき、
上記屋根パネルの野地面材の上面に屋根材を葺設し、棟部と隅部の所定個所に換気部材を被着することにより、棟通気路と隅通気路とを該換気部材を介して外気に開放した
ことを特徴とする寄棟分岐屋根の通気構造。
【請求項２】
上記断熱材の断熱主板の端面を、隅木の側面にシール材を介して隙間のないようにして接合せしめた請求項１に記載の寄棟分岐屋根の構造。
【請求項３】
上記主屋根部に対する上記分岐屋根部の分岐部分に存在する谷部にあっては、対向する一対の屋根パネルを谷木を介して対向させ、該断熱材の断熱主板上面を谷木の天面と一致せしめて谷木によって該断熱材の通気路が閉塞されないようにすることで、一対の屋根パネル間に谷通気路を設けて、該谷通気路を該屋根パネルの通気路を介して棟通気路および／または隅通気路に連通せしめた請求項１または請求項２に記載の寄棟分岐屋根の構造。
【請求項４】
該断熱材の断熱主板の端面は、谷木の側面にシール材を介して隙間のないようにして接合せしめた請求項３に記載の寄棟分岐屋根の構造。
【請求項５】
少なくとも上記屋根パネル相互の接続部において、該屋根パネルの断熱材と垂木との接合面にはシール材が介在している請求項１から請求項４のいずれか１項に記載の寄棟分岐屋根の通気構造。
【請求項６】
該垂木上に被着された屋根パネルの断熱材の下面は軒先部において壁断熱材の上端に当接され、該屋根パネルの断熱材の下面と壁断熱材の上端との間に形成される隙間にはシール材が充填され、棟部にあっては、一対の屋根パネルの隙間に該屋根パネルの通気路を閉塞しないようにしてシール材が充填されている請求項１から請求項５のいずれか１項に記載の寄棟分岐屋根の通気構造。
【請求項７】
上記シール材は、軟質プラスチック発泡体からなる断熱性シール材である請求項２、請求項４、請求項５または請求項６のいずれか１項に記載の寄棟分岐屋根の通気構造。
【請求項８】
上記換気部材は、笠形水切板と、該笠形水切板の下面両側に接着されている通気性ブロックとからなる請求項１から請求項７のいずれか１項に記載の寄棟分岐屋根の通気構造。
【請求項９】
該断熱主板と該断熱連結板とは同等の断熱性能を有する請求項１から請求項８のいずれか１項に記載の寄棟分岐屋根の通気構造。
【請求項１０】
上記プラスチック発泡体は上下両面にプラスチックフィルムが貼着されているウレタン樹脂発泡体またはフェノール樹脂発泡体である請求項１から請求項９のいずれか１項に記載の寄棟分岐屋根の通気構造。
【発明の詳細な説明】
【技術分野】
【０００１】
本発明は、寄棟屋根であって主屋根部から分岐屋根部を分岐させた寄棟分岐屋根の通気構造に関するものである。
【背景技術】
【０００２】
従来の分岐屋根構造は、一定方向に伸びる主屋根部の端部あるいは中間部から、該主屋根部と直角に伸びるように分岐屋根部を分岐させた構成となっている。また該主屋根部と該分岐屋根部との分岐部分は、雨漏りなどを防止するためにシールされている。
【発明の開示】
【発明が解決しようとする課題】
【０００３】
ところが、上記分岐屋根構造を寄棟屋根に適用する場合、寄棟屋根は、雨仕舞いは良好であっても、妻側の壁（棟に対して直角に接する壁）が無いため、小屋裏（屋根と天井との間の空間）を換気する換気口を設けにくく、特に分岐屋根構造では主屋根部と分岐屋根部との分岐部分に形成される谷に湿気が集中し、この部分において結露が発生しやすいと云う問題点があった。
【課題を解決するための手段】
【０００４】
本発明は上記従来の問題点を解決するための手段として、主屋根部１７の所定部位から分岐屋根部１７Ａを分岐させてなる寄棟分岐屋根において、プラスチック発泡体からなる断熱主板３Ａの複数枚を垂木巾を介して配置し、該断熱主板３Ａの上側からプラスチック発泡体からなる細長の断熱連結板３Ｂを貼着し、該断熱連結板３Ｂで複数枚の該断熱主板３Ａを相互に連結することにより、該断熱主板３Ａの相互の連結部分に垂木嵌合溝５を設けた断熱材３を用い、上記断熱材３の複数枚を野地面材２の下面に上記断熱連結板３Ｂを介して接合することにより、該野地面材２と上記断熱主板３Ａとの間において、該断熱連結板３Ｂ相互の間に該断熱連結板３Ｂの厚み分の通気路４が形成された屋根パネル１を使用し、上記屋根パネル１は、屋根骨格の垂木６上に被着し、該垂木６を該屋根パネルの上記断熱材３の垂木嵌合溝５に嵌合し、また主屋根部１７および分岐屋根部１７Ａの軒先にあっては、上記屋根パネル１の通気路４の軒先端を外気に直接開放しておくものとして、上記主屋根部１７および上記分岐屋根部１７Ａの棟部にあっては、対向する一対の屋根パネル１を棟木７Ｃの上方で互いに突き合わせることにより、一対の屋根パネル１間に棟通気路１１を設けて、該棟通気路１１に該屋根パネル１の通気路４の棟側端を開放しておき、上記主屋根部１７および上記分岐屋根部１７Ａの隅部にあっては、対向する一対の屋根パネル１を隅木７Ｄを介して対向させ、上記断熱材３の断熱主板３Ａ上面を隅木７Ｄの天面と一致せしめて隅木７Ｄによって該断熱材３の通気路４が閉塞されないようにすることで、一対の屋根パネル１間に隅通気路１１Ａを設けて、該隅通気路１１Ａに該屋根パネル１の通気路４の隅側端を開放しておき、上記屋根パネル１の野地面材２の上面に屋根材１２を葺設し、棟部と隅部の所定個所に換気部材１６を被着することにより、棟通気路１１と隅通気路１１Ａとを該換気部材１６を介して外気に開放した寄棟分岐屋根の通気構造を提供するものである。
【０００５】
また上記断熱材３の断熱主板３Ａの端面を、隅木７Ｄの側面にシール材を介して隙間のないようにして接合せしめることが望ましい。
更に本発明では、上記主屋根部１７に対する上記分岐屋根部１７Ａの分岐部分に存在する谷部１７Ｂにあっては、対向する一対の屋根パネル１を谷木１８を介して対向させ、該断熱材３の断熱主板３Ａ上面を谷木１８の天面と一致せしめて谷木１８によって該断熱材３の通気路４が閉塞されないようにすることで、一対の屋根パネル１，１間に谷通気路１１Ｂを設けて、該谷通気路１１Ｂを該屋根パネル１の通気路４を介して棟通気路１１および／または隅通気路１１Ａに連通せしめることが望ましい。
該断熱材３の断熱主板３Ａの端面は、谷木１８の側面にシール材を介して隙間のないようにして接合せしめることが望ましい。
【０００６】
また更に、少なくとも上記屋根パネル１相互の接続部において、該屋根パネル１の断熱材３と垂木６との接合面にはシール材が介在していることが望ましく、また該垂木６上に被着された屋根パネル１の断熱材３の下面は軒先部において壁断熱材２０の上端に当接され、該屋根パネル１の断熱材３の下面と壁断熱材２０の上端との間に形成される隙間にはシール材が充填され、棟部にあっては、一対の屋根パネル１，１の隙間に該屋根パネル１の通気路４を閉塞しないようにしてシール材が充填されていることが望ましい。
上記シール材は、軟質プラスチック発泡体からなる断熱性シール材であることが望ましい。
【０００７】
通常、上記換気部材１６は、笠形の水切り板１４と、該笠形の水切り板１４の下面両側に接着されている通気性ブロック１６Ｂとからなる。
更に、該断熱主板３Ａと該断熱連結板３Ｂとは同等の断熱性能を有することが望ましく、また上記プラスチック発泡体は上下両面にプラスチックフィルムが貼着されているウレタン樹脂発泡体またはフェノール樹脂発泡体であることが望ましい。
【発明の効果】
【０００８】
〔作用〕
本発明の寄棟分岐屋根にあっては、主屋根部１７と分岐屋根部１７Ａの棟通気路１１と隅通気路１１Ａを棟換気部材１６を介して外気に開放したので、小屋裏の換気は、通気路４から棟通気路１１と隅通気路、換気部材１６を介して充分かつ円滑に行われる。
また、主屋根部１７に対する分岐屋根部１７Ａの分岐部分に存在する谷部１７Ｂにあっても、谷通気路１１Ｂを屋根パネル１の通気路４を介して棟通気路１１および／または隅通気路１１Ａに開放したので、小屋裏の換気は、谷通気路１１Ｂから通気路４、棟通気路１１および／または隅通気路１１Ａ、換気部材１６を介して充分かつ円滑に行われる。
また上記屋根パネル１を使用した寄棟分岐屋根にあっては、垂木６の上に断熱材３の断熱連結板３Ｂが存在するから、断熱欠損部が存在せず、また屋根パネル１の野地面材２と断熱材３の断熱主板３Ａとの間において、該断熱連結板３Ｂ相互の間に通気路４が設けられており、この通気路４が軒先と棟部とにおいて外気に開放されているので、屋根の厚さを厚くすることなく屋根の通気性が確保される。そして該断熱材３の断熱連結板３Ｂは屋根パネル１の垂木嵌合溝５，５Ａの上側に配置されているので、屋根には垂木６による断熱欠損部が存在しなくなり、外断熱構造となる。
【０００９】
少なくとも該屋根パネル１，１相互の接続部において、該屋根パネル１，１の断熱材３，３と垂木６，６との接合面には垂木シール材８を介在させれば、屋根下地構造の気密性が確保される。
更に、垂木６上に被着された屋根パネル１の断熱材３の下面を軒先部において壁断熱材３の上端に当接させ、該屋根パネル１の断熱材３の下面と壁断熱材３の上端との間に形成される隙間に軒先シール材９を充填し、また棟部にあっては左右の屋根パネル１，１の隙間に、該屋根パネル１，１の通気路４，４を閉塞しないようにしてシール材１０を充填すると、屋根下地構造の気密性が確保される。ここで、該シール材１０を軟質プラスチック発泡体からなる断熱性シール材とすれば、連続した断熱構造を有する屋根下地構造となるため、屋根の断熱性が向上する。
寄棟分岐屋根には、分岐屋根部１７Ａまたは本谷部１７Ｂが存在するから、これらの部分で対向する左右の屋根パネル１，１を棟木１７Ｄ、隅木１７Ｅまたは谷木１８を介して対向させ、該断熱材３，３の断面主板上面を棟木１７Ｄ、隅木１７Ｅまたは谷木１８の左右天面とを一致せしめて棟木１７Ｄ、隅木１７Ｅまたは谷木１８によって該断熱材３，３の通気路４，４が閉塞されないように、分岐屋根部１７Ａにあっては該左右の断熱材３，３の間に棟通気路１１を設けて断熱性と通気性とを確保する。
本発明の断熱材３の断熱主板３Ａと断熱連結板３Ｂはいずれもプラスチック発泡体板を切断加工することによって製造され、切削加工が必要とされないので、切削加工が困難な上下両面にプラスチックフィルムが貼着されているウレタン樹脂発泡体やフェノール樹脂発泡体でも材料として適用することが出来る。
【００１０】
〔効果〕
本発明あっては、寄棟分岐屋根の通気性が確保され、特に分岐屋根部の主屋根部からの分岐部分においても結露が生じなくなり、かつ屋根に断熱欠損部がなくなるので、断熱性が大巾に向上する。
【発明を実施するための最良の形態】
【００１１】
本発明を図１〜図１０に示す一実施例によって以下に説明する。
図１及び２に示すように、寄棟分岐屋根の通気構造で使用する屋根パネル１は、野地面材２と、該野地面材２の下面に接着剤によって接着されている断熱材３とによって構成されている。
上記断熱材３は、複数枚の断熱主板３Ａと、隣接する一対の断熱主板３Ａの間を連結する細長の断熱連結板３Ｂとからなる。該断熱主板３Ａ及び該断熱連結板３Ｂは、ポリスチレン発泡体、ポリエチレン発泡体、ポリプロピレン発泡体、半硬質ポリウレタン発泡体、上下両面にプラスチックフィルムが貼着されている半硬質ポリウレタン発泡体、あるいはフェノール樹脂発泡体、メラミン樹脂発泡体等のプラスチック発泡体を材料として形成されている。
該断熱材３においては、複数枚の断熱主板３Ａが垂木巾を介して（垂木６の巾だけ間隔を空けて）配置されることにより、一対の断熱主板３Ａの間に垂木嵌合溝５が形成されている。該断熱連結板３Ｂは、一対の断熱主板３Ａの隣接部分に上側（野地面材２側）から貼着されており、該断熱材３は、該断熱連結板３Ｂを介して該野地面材２の下面に接着されている。そして、該野地面材２と、該断熱材３の断熱主板３Ａとの間には、該断熱連結板３Ｂの厚み分の通気路４が形成されている。
また、該屋根パネル１の両端においては、該断熱材３の断熱連結板３Ｂと野地面材２とを共に断熱主板３Ａの側縁から延出せしめることにより、該延出部分３Ｃの下側を両端の垂木嵌合溝５Ａとして形成する。該両端の垂木嵌合溝５Ａの巾は、その他の垂木嵌合溝５の巾の１／２に設定する。
【００１２】
図３に示すように、上記屋根パネル１は、断熱材３の垂木嵌合溝５，５Ａを垂木６に嵌合させることにより、屋根骨格の垂木６上に被着される。なお、図４に示すように、該垂木６は、軒桁７Ａ、母屋７Ｂ、棟木７Ｃによって下方側（屋内側）から支持されている。また特に図示はしないが、該垂木６は、軒桁７Ａ、母屋７Ｂによって下方側（屋内側）から支持され、隅木７Ｄの側面に接合されている。
該断熱材３が垂木６上に被着された状態で、断熱連結板３Ｂが該垂木６の上側（野地面材２側）を覆うことにより、垂木６による断熱欠損部（垂木６によって断熱材が途切れることによる断熱欠損部）が解消される（図３参照）。また、断熱効率を高めるため、該断熱連結板３Ｂの厚みは２０ｍｍ以上とすることが望ましい。そして、該屋根パネル１の横方向の相互接続部においては、図３に示すように該断熱材３の断熱主板３Ａと垂木６との間に垂木シール材８を介在させることによって気密性を確保している。
【００１３】
図４に示すように、主屋根部１７と分岐屋根部１７Ａの軒先部にあって該屋根パネル１の通気路４の軒先側端は、外気に開放されている。
また主屋根部１７と分岐屋根部１７Ａの軒先部にあっては、該断熱材３の断熱主板３Ａの下面を壁断熱材２０の上端に当接させ、さらに該屋根パネル１の断熱材３の断熱主板３Ａの下面と該壁断熱材３の上端との間に形成された隙間に軒先シール材９を充填することにより、屋根の断熱材３と壁断熱材３との接合部で断熱構造の連続性が断たれることを防止している。該軒先シール材９は、軟質ポリウレタン発泡体、軟質ポリ塩化ビニル発泡体、合成ゴムスポンジ等の軟質プラスチック発泡体からなる。
主屋根部１７と分岐屋根部１７Ａの棟部にあっては、左右の屋根パネル１，１が棟木７Ｃの上方で互いに突き合わされており、これら屋根パネル１，１の接合部の隙間に棟部シール材１０を充填することにより、断熱構造の連続性が断たれることを防止している。該棟部シール材１０は、上記軒先シール材９と同様の軟質プラスチック発泡体からなる。該棟部シール材１０は、該屋根パネル１の通気路４を閉塞しないようにするため、該屋根パネル１の断熱材３の断熱主板３Ａ間に充填されている。また左右の屋根パネル１，１間には、棟部に沿って棟通気路１１が形成されており、該屋根パネル１，１の各通気路４，４の棟側端が該棟通気路１１に開放されるように設定されている。
【００１４】
図５に示すように、該屋根パネル１の野地面材２の上面には、屋根材１２が葺設される。棟部にあっては、笠木１３，１３を介して水切り板１４が被覆されている。
そして、図６に示すように、棟部の所定個所には換気部材１６が被着されており、主屋根部１７の該棟通気路１１が該換気部材１６を介して外気に開放されるように設定されている。
図７に示すように、該換気部材１６は、ポリプロピレン、ポリ塩化ビニル等のプラスチックを材料とし、笠形の水切り板１６Ａと、該水切り板１４の下面両側に接着される通気性ブロック１６Ｂとからなる。該通気性ブロック１６Ｂには、例えばハニカム状に多数の連通孔が設けられている。
【００１５】
図８に示すように、本実施形態の寄棟分岐屋根においては、主屋根部１７の一角から直角に分岐屋根部１７Ａが分岐している。主屋根部１７と分岐屋根部１７Ａの棟部は、略水平方向に延びる構成となっている。一方、主屋根部１７と分岐屋根部１７Ａの隅部は、棟部の端部から軒先方向に向かって斜め下方に延びる構成となっている。そして、主屋根部１７に対する分岐屋根部１７Ａの分岐部分には、谷部１７Ｂが存在している。
図９に示すように、上記主屋根部１７と分岐屋根部１７Ａの隅部において、対向する左右の屋根パネル１，１は、垂木６Ａ上に被着されるとともに、隅木７Ｄを介して対向しており、さらに上記断熱材３の断熱主板３Ａ上面が隅木７Ｄの左右天面と一致せしめられている。また左右の屋根パネル１，１間には、隅部に沿って隅通気路１１Ａが形成されており、該屋根パネル１，１の各通気路４，４の隅側端が該隅通気路１１Ａに開放されるように設定されている。そして、隅部の所定個所には換気部材１６が被着されており、該隅通気路１１Ａが該換気部材１６を介して外気に開放されるように設定されている。
なお隅木７Ｄ側面にはその両側の屋根パネル１，１の断熱材３の端面を密接させ、更に該断熱主板３Ａの接合部下端を断熱シール材によってシールして、隅部はその気密性が確保される。
【００１６】
上記主屋根部１７および上記分岐屋根部１７Ａの棟部にあっては、軒先側の換気は屋根パネル１の通気路４の軒先端が直接外気に開放していることによって行なわれ、棟側換気は屋根パネル１の通気路４が棟通気路１１に開放され、該棟通気路１１が該棟換気部材１６を介して外気に開放されることによって行なわれる。
また隅部にあっては、谷部１７Ｂを除く軒先側の換気は屋根パネル１の通気路４の軒先端が直接外気に開放していることによって行なわれ、隅側換気は屋根パネル１の通気路４が隅通気路１１Ａに開放され、該隅通気路１１Ａが該換気部材１６を介して外気に開放されることによって行なわれる。
【００１７】
一方、谷部１７Ｂにあっては、図１０に示すように、左右の屋根パネル１，１の断熱材３の断熱主板３Ａの間に谷木１８が嵌合された状態とし、該断熱主板３Ａの上面、即ち垂木６の上面と谷木１８の左右天面とを一致させている。その際、左右の屋根パネル１，１の各野地面材２と各断熱材３の断熱連結板３Ｂの間には、谷に沿って谷通気路１１Ｂが形成され、該谷通気路１１Ｂの上部を塞ぐように、逆笠形の水切り板１４Ａが被着されている。なお谷木１８側面には、その両側の屋根パネル１，１の断熱材３の端面を密接させ、更に該断熱主板３Ａの接合部下端は断熱シール材１０Ｂによってシールして、気密性を確保する。
【００１８】
該谷部１７Ｂにおいて、屋根パネル１の通気路４の谷側端は、谷通気路１１Ｂに開放され、また該屋根パネル１の通気路４の棟側あるいは隅側は、棟部の棟通気路１１、あるいは隅部の隅通気路１１Ａに開放されている。
上記谷部１７Ｂの換気は、谷通気路１１Ｂが屋根パネル１の通気路４を介して棟部の棟通気路１１、あるいは隅部の隅通気路１１Ａに開放され、該棟通気路１１または隅通気路１１Ａが該換気部材１６を介して外気に開放されることによって行なわれる。従って、谷部１７Ｂに集中しようとする湿気は、谷通気路１１Ｂに集まりつつ、通気路４を介して棟部の棟通気路１１、あるいは隅部の隅通気路１１Ａに流れ、該棟通気路１１または隅通気路１１Ａから換気部材１６を介して外気に開放されるため、谷部１７Ｂの結露が防止される。
【産業上の利用可能性】
【００１９】
本発明においては、屋根構造に断熱欠損部が存在しなくなって屋根断熱効果が向上し、そして少ない部材で、特に寄棟分岐屋根において効率良く屋根の換気を図り結露を防止することが出来るから、産業上利用可能である。
【図面の簡単な説明】
【００２０】
図１〜図１１は本発明の一実施例を示すものである。
【図１】断熱材および野地面材の部分斜視図
【図２】屋根パネルの横断面図
【図３】屋根パネルを屋根骨格上に被着した状態の部分横断面図
【図４】屋根パネルを屋根骨格上に被着した状態の部分縦断面図
【図５】棟部の横断面図（水切り板取付け部分）
【図６】棟部の横横断面図（棟換気部材取付け部分）
【図７】棟換気部材の正面図
【図８】分岐部を有する屋根の説明図
【図９】図８におけるＡ−Ａ断面図
【図１０】図９におけるＢ−Ｂ断面図
【符号の説明】
【００２１】
１    屋根パネル
２    野地面材
３    断熱材
３Ａ  断熱主板
３Ｂ  断熱連結板
４    通気路
５，５Ａ  垂木嵌合溝（部）
６    垂木
７Ｃ  棟木
７Ｄ  隅木
８，９，１０    シール材
１１    棟通気路
１１Ａ  隅通気路
１１Ｂ  谷通気路
１６    換気部材
１７    主屋根部
１７Ａ  分岐屋根部
１７Ｂ  谷部
１８    谷木
【図１】
2009161960.tif 000003
【図２】
2009161960.tif 000004
【図３】
2009161960.tif 000005
【図４】
2009161960.tif 000006
【図５】
2009161960.tif 000007
【図６】
2009161960.tif 000008
【図７】
2009161960.tif 000009
【図８】
2009161960.tif 000010
【図９】
2009161960.tif 000011
【図１０】
2009161960.tif 000012
【手続補正書】
【提出日】平成20年1月11日(2008.1.11)
【手続補正１】
【補正対象書類名】図面
【補正対象項目名】図８
【補正方法】変更
【補正の内容】
【図８】
2009161960.tif 000013